【手続補正書】
【提出日】平成26年10月3日(2014.10.3)
【手続補正１】
【補正対象書類名】特許請求の範囲
【補正対象項目名】全文
【補正方法】変更
【補正の内容】
【特許請求の範囲】
【請求項１】
移動テーブルを架台に対して横方向と縦方向に移動させて移動テーブルを位置決めする移動テーブル位置決め装置において、
テーブル下部とテーブル上部とを有し、テーブル下部に対してテーブル上部を所定の傾斜方向に移動可能に取り付けた移動テーブルと、
テーブル上部と当接する位置に設けられた縦方向ガイドと、
移動テーブルを横スライドさせる駆動機構と、
駆動機構を制御して、テーブル上部が縦方向ガイドと当接していない位置からテーブル下部を縦方向ガイドに向けて横スライドさせ、縦方向ガイドにテーブル上部を当接させて押し付けることにより、テーブル上部を前記所定の傾斜方向の上方側に移動させて、テーブル上部を縦方向に移動させる制御部と
を備えたことを特徴とする移動テーブル位置決め装置。
【請求項２】
移動テーブル位置決め装置は、さらに、テーブル下部に対してテーブル上部を前記所定の傾斜方向の下方側に向けて所定の圧力で加圧する加圧部を備えたことを特徴とする請求項１記載の移動テーブル位置決め装置。
【請求項３】
縦方向ガイドは、垂直面を有し、
テーブル上部は、縦方向ガイドの垂直面と当接して、テーブル上部の上方側への移動に伴って回転するローラを有することを特徴とする請求項１又は２記載の移動テーブル位置決め装置。
【請求項４】
テーブル上部は、垂直面を有し、
縦方向ガイドは、テーブル上部の垂直面と当接して、テーブル上部の上方側への移動に伴って回転するローラを有することを特徴とする請求項１又は２記載の移動テーブル位置決め装置。
【請求項５】
テーブル下部とテーブル上部との間に設けられ、前記所定の傾斜方向の下方側に向けて移動するテーブル上部をテーブル下部に対して所定の位置に位置決めする傾斜位置決め部を備え、
傾斜位置決め部は、テーブル下部とテーブル上部との前記所定の傾斜方向における距離を決定することを特徴とする請求項１〜４いずれかに記載の移動テーブル位置決め装置。
【請求項６】
制御部は、移動テーブルのテーブル上部が縦方向ガイドから離れた位置からテーブル下部を縦方向ガイドに向けて横スライドさせ、移動テーブルのテーブル上部が縦方向ガイドに接触する直前で一旦横スライドを停止させ、その後、再度、テーブル下部を横スライドさせてテーブル上部を縦方向ガイドに押し付けることを特徴とする請求項１〜５いずれかに記載の移動テーブル位置決め装置。
【請求項７】
テーブル下部は、傾斜角度α（α＜９０度）の傾斜面と、傾斜面と直交する下部位置決め面とを有し、
テーブル上部は、傾斜角度αの傾斜面と、傾斜面と直交する上部位置決め面とを有し、
傾斜位置決め部は、下部位置決め面の上下中央に固定された下ストッパと、上部位置決め面の上下中央に固定された上ストッパとを有することを特徴とする請求項１〜６いずれかに記載の移動テーブル位置決め装置。
【請求項８】
テーブル下部は、傾斜角度α（α＜９０度）の傾斜面を有する鋸刃状の前方鋸刃部と後方鋸刃部とを有し、
下部位置決め面は、前方鋸刃部の後方にあり、
テーブル上部は、前方脚と後方脚とを有し、
上部位置決め面は、後方脚の前方にあり、
下ストッパは、前方鋸刃部と後方鋸刃部との間にあり、
上ストッパは、前方脚と後方脚との間にある
ことを特徴とする請求項７記載の移動テーブル位置決め装置。
【請求項９】
前記請求項１〜８いずれかに記載の移動テーブル位置決め装置を備えたことを特徴とするスクリーン印刷機。
【請求項１０】
移動テーブルを架台に対して横方向と縦方向に移動させて移動テーブルを位置決めする移動テーブル位置決め装置の移動テーブル位置決め方法において、
移動テーブル位置決め装置は、
テーブル下部とテーブル上部とを有し、テーブル下部に対してテーブル上部を所定の傾斜方向に移動可能に取り付けた移動テーブルと、
テーブル上部と当接する位置に設けられた縦方向ガイドと、
移動テーブルを横スライドさせる駆動機構と、
駆動機構を制御して、テーブル下部を縦方向ガイドに向けて横スライドさせる制御部とを備え、
制御部は、テーブル上部が縦方向ガイドと当接していない位置からテーブル下部を縦方向ガイドに向けて横スライドさせ、縦方向ガイドにテーブル上部を当接させて押し付けることにより、テーブル上部を前記所定の傾斜方向の上方側に移動させて、テーブル上部を縦方向に移動させることを特徴とする移動テーブル位置決め方法。
【請求項１１】
移動テーブルを架台に対して、横方向と縦方向とに移動させて、前記移動テーブルを位置決めするスクリーン印刷機において、
テーブル下部と、前記テーブル下部に対して傾斜方向にスライド可能に取り付けられているテーブル斜行部を有するテーブル上部とを有する移動テーブルと、
前記架台の上部に直立している縦方向ガイドと、
前記移動テーブルを、移動前位置Ｐ１から横移動完了位置Ｐ２へ、さらに、横移動完了位置Ｐ２から縦移動完了位置Ｐ３まで横移動させる駆動機構と、
前記駆動機構を制御して、移動前位置Ｐ１から横移動完了位置Ｐ２まで前記移動テーブルを横移動させ、さらに、前記テーブル下部を横移動完了位置Ｐ２から縦移動完了位置Ｐ３まで横移動させて、前記縦方向ガイドによって横移動が拘束された前記テーブル上部を縦移動前高さＱ１から縦移動完了高さＱ２まで縦方向に移動させる制御部と
を備えたことを特徴とするスクリーン印刷機。
【請求項１２】
前記縦方向ガイドは、移動テーブル側に垂直面を有し、
前記テーブル斜行部は、前記縦方向ガイドの垂直面と対向する高さ位置にローラを有することを特徴とする請求項１１記載のスクリーン印刷機。
【請求項１３】
前記制御部は、前記移動テーブルを前記ローラが前記垂直面にあたる直前に横移動完了位置Ｐ２で停止させることを特徴とする請求項１２記載のスクリーン印刷機。
【請求項１４】
前記テーブル斜行部は、前方脚と後方脚とを有し、
前記テーブル下部は、鋸刃形状の前方鋸刃部と後方鋸刃部とを有し、
前記テーブル斜行部の前記前方脚と前記後方脚とに傾斜して取り付けられた傾斜用直動スライダと前記テーブル下部の前記前方鋸刃部と前記後方鋸刃部との傾斜面に傾斜して取り付けられた傾斜レールとを有する傾斜スライド機構と、
を備えたことを特徴とする請求項１１〜１３いずれかに記載のスクリーン印刷機。
【請求項１５】
前記テーブル下部と前記テーブル上部とを傾斜方向にひきつける加圧部を備えたことを特徴とする請求項１１〜１３いずれかに記載のスクリーン印刷機。
【請求項１６】
前記テーブル下部と前記テーブル上部とを位置決めする傾斜位置決め部を備えたことを特徴とする請求項１１〜１３いずれかに記載のスクリーン印刷機。
【請求項１７】
前記傾斜位置決め部は、
前記テーブル下部の上部に斜め上方に傾斜して取り付けられた下ストッパと、
前記テーブル斜行部の下部に斜め下方に傾斜して取り付けられた上ストッパとを有し、
前記上ストッパと前記下ストッパは正対していることを特徴とする請求項１６記載のスクリーン印刷機。
【請求項１８】
前記上ストッパと前記下ストッパとのいずれか一方は、ネジ機構を有し、ネジのネジ込み量を調整することにより前記テーブル下部と前記テーブル上部との傾斜方向の距離を調節することを特徴とする請求項１７記載のスクリーン印刷機。
【請求項１９】
前記横移動完了位置Ｐ２の上部に配置されたスクリーンマスクを備え、
前記テーブル上部は、ワークを載せる治具プレートを有し、
前記スクリーンマスクは、前記テーブル斜行部が前記縦移動完了高さＱ２に位置決めされた状態で前記治具プレートに載せたワークが印刷可能な状態となる位置に配置されたことを特徴とする請求項１１〜１３いずれかに記載のスクリーン印刷機。